(57)【要約】【課題】  欠けの発生を抑制できる永久磁石体を備えた磁気ネックレスを提供する。【解決手段】  磁気ネックレス１は、多数の略楕円体のカプセル３と多数の略球体のカプセル５とを有する。カプセル３とカプセル５とは、連結棒７によって交互に連結されている。一部のカプセル３には、円柱の縁に沿って円弧面９ｄが形成された永久磁石体９が収容されている。これにより、永久磁石体９の縁が鋭利でなくなるので、欠けの発生を抑制できる。【選択図】  図３
2005087404.tif 000002
【特許請求の範囲】
【請求項１】
円柱又は角柱の縁に沿って帯状の平面が形成された永久磁石体を備えたことを特徴とする磁気ネックレス。
【請求項２】
前記帯状の平面は、全ての前記縁に形成されていることを特徴とする請求項１に記載の磁気ネックレス。
【請求項３】
前記帯状の平面の幅は、０．０７〜１．５ｍｍであることを特徴とする請求項１又は２に記載の磁気ネックレス。
【請求項４】
円柱又は角柱の縁に沿って円弧面が形成された永久磁石体を備えたことを特徴とする磁気ネックレス。
【請求項５】
前記円弧面は、全ての前記縁に形成されていることを特徴とする請求項４に記載の磁気ネックレス。
【請求項６】
前記円弧面の曲率半径は、０．０５〜１ｍｍであることを特徴とする請求項４又は５に記載の磁気ネックレス。
【請求項７】
互いに連結された複数のカプセルを有し、
前記永久磁石体は、前記複数のカプセルのうち少なくとも一つに収容されていることを特徴とする請求項１〜６のいずれか一項に記載の磁気ネックレス。
【発明の詳細な説明】
【技術分野】
【０００１】
本発明は、磁気ネックレスに関する。
【背景技術】
【０００２】
従来、カット面が形成された多面体の永久磁石体を連結してなる磁気ネックレスが知られている（例えば、特許文献１参照）。また、円柱の永久磁石体も磁気ネックレスに用いられている。
【０００３】
【特許文献１】特許第２９２３４２１号公報
【発明の開示】
【発明が解決しようとする課題】
【０００４】
しかしながら、上述の永久磁石体を備えた磁気ネックレスでは、円柱又は多面体の縁や角（エッジやコーナー）において永久磁石体の欠けが発生し易いという問題がある。このような永久磁石体の欠けが磁気ネックレスの使用中に発生すると、脱離した磁石粉が飛散して磁気ネックレス或いは衣服等を汚染してしまう。また、永久磁石体の欠けが磁気ネックレスの製造中に発生すると、永久磁石体の磁気特性が劣化すると共に、磁気ネックレスの外観品質も悪化するため、磁気ネックレスの製造歩留まりは低下する。
【０００５】
そこで、本発明は、欠けの発生を抑制できる永久磁石体を備えた磁気ネックレスを提供することを目的とする。
【課題を解決するための手段】
【０００６】
上述の課題を解決するため、本発明の磁気ネックレスは、円柱又は角柱の縁に沿って帯状の平面が形成された永久磁石体を備えたことを特徴とする。これにより、円柱又は角柱の縁における永久磁石体の欠けを抑制できる。ここで、帯状の平面は、全ての縁に形成されていると好ましい。この場合、永久磁石体の全ての縁が欠けにくくなると共に、角も鋭利でなくなるので、角が欠けにくくなる。
【０００７】
また、帯状の平面の幅は、０．０７〜１．５ｍｍであると好ましい。帯状の平面の幅が０．０７ｍｍより小さいと、円柱又は角柱の縁が鋭利であるため永久磁石体の欠けが発生しやすくなる傾向にある。
【０００８】
また、本発明の磁気ネックレスは、円柱又は角柱の縁に沿って円弧面が形成された永久磁石体を備えたことを特徴とする。これにより、円柱又は角柱の縁における永久磁石体の欠けを抑制できる。ここで、円弧面は全ての縁に形成されていると好ましい。この場合、永久磁石体の全ての縁が欠けにくくなる。
【０００９】
また、円弧面の曲率半径は、０．０５〜１ｍｍであると好ましい。曲率半径が０．０５ｍｍより小さいと、円柱又は角柱の縁が鋭利であるため永久磁石体の欠けが発生しやすくなる傾向にある。
【００１０】
また、上記磁気ネックレスは互いに連結された複数のカプセルを有し、永久磁石体は複数のカプセルのうち少なくとも一つに収容されていると好ましい。この場合、永久磁石体はカプセルに保護されているため、永久磁石体の欠けの発生を更に抑制できる。
【発明の効果】
【００１１】
本発明によれば、欠けの発生を抑制できる永久磁石体を備えた磁気ネックレスを提供することができる。
【発明を実施するための最良の形態】
【００１２】
以下、実施の形態に係る磁気ネックレスについて説明する。なお、同一要素には同一符号を用い、重複する説明は省略する。
【００１３】
（第１実施形態）
図１は、第１実施形態に係る磁気ネックレス１の平面図である。磁気ネックレス１は、多数の略楕円体のカプセル３と多数の略球体のカプセル５とを有している。カプセル３とカプセル５とは隣り合っており、連結棒７によって交互に連結されている。磁気ネックレス１の両端には、繋ぎ玉１１を介して抜きカン１２が各々取り付けられている。一方の抜きカン１２には、Ｃカン１３を介して留め具フック１４が取り付けられており、他方の抜きカン１２には、Ｃカン１３を介して留め具プレート１５が取り付けられている。かかる磁気ネックレス１を首に巻きつけた後に、留め具フック１４を留め具プレート１５に係合させ、磁気ネックレス１を環状にすることによって、磁気ネックレス１を首に装着することができる。
【００１４】
一部のカプセル３には永久磁石体９が収容されており、残部のカプセル３及びカプセル５には永久磁石体９が収容されていない。永久磁石体９が収容されていないカプセルがあるので、磁力によってカプセル同士が付着してしまうことを抑制できると共に磁気ネックレス１の軽量化を図ることができる。これにより、磁気ネックレス１は取り扱われやすくなる。さらに、磁気ネックレス１において、永久磁石体９は所定の間隔で略均等に配置されているので、磁気ネックレス１が一層取り扱われやすくなり、更には、人体に対して磁力の偏りがなくなる。
【００１５】
カプセル３，５及び連結棒７は、チタンを主成分とする金属材料から形成されている。かかる金属材料として、チタン或いはチタン合金等が例示できる。これにより、磁気ネックレス１の軽量化、耐食性の向上、更には磁気ネックレス１を使用する際の金属アレルギーの抑制を実現できる。また、チタンは柔和な色合いを有しているので、シックな雰囲気の磁気ネックレス１が得られる。
【００１６】
図２は、磁気ネックレス１のII−II矢印断面図である。カプセル３には略楕円体の長軸の両端に開口３ａが形成されており、カプセル５には両端に開口５ａが形成されている。
連結棒７の軸部７ａの一端及び他端は、互いに対向する開口３ａ，５ａに各々挿入されている。
【００１７】
連結棒７は、開口３ａの幅（径）より広い幅（径）を有する抜け止め部７ｂを軸部７ａの一端に備え、開口５ａの幅（径）より広い幅（径）を有する抜け止め部７ｃを軸部７ａの他端に備える。これにより、連結棒７が開口３ａ，５ａから抜けないようになっている。開口３ａ，５ａの形状は、例えば円形又は矩形である。開口３ａ，５ａの幅は、開口寸法の最大値で規定される。例えば、円形の場合は円の直径であり、矩形の場合は対角線の長さである。また、抜け止め部７ｂ，７ｃの形状は、例えば円盤状又は矩形の板状である。抜け止め部７ｂ，７ｃの幅は、軸部７ａに略垂直な方向における外形寸法の最大値で規定される。例えば、円盤状の場合は円盤の直径であり、矩形の板状の場合は矩形の板の対角線の長さである。カプセル３，５は、連結棒７の軸部７ａを回転軸として回転可能であり、軸方向に沿ってスライド可能である。
【００１８】
連結棒７の抜け止め部７ｂ，７ｃは、カプセル３，５内に各々収容されている。よって、隣り合うカプセル３，５の間には、実質的に棒状の軸部７ａだけが露出して見えるので、隣り合うカプセル３，５間の連結部が目立ちにくい。したがって、磁気ネックレス１では、カプセル部と連結部とが明確に区別されて見えないので、一見して磁気ネックレスとは分からず、ネックレスの外観を損なわない。
【００１９】
ここで、カプセル３は長さＬの長軸及び長さＳの短軸により外形が規定される略楕円体であるが、長軸の長さＬが短軸の長さＳに対して１．５倍以上３．０倍以下となると好ましく、１．５倍以上２．５倍以下であると更に好ましい。これにより、永久磁石体９をカプセル３の長軸方向に長くすることによって磁束を大きくすることができる。また、カプセル５は、カプセル３の長軸方向に連結されているので、短軸方向に連結されている場合よりも磁気ネックレス１を曲げやすくなる。具体的には、カプセル３の長さＬは例えば８．０ｍｍであり、長さＳは例えば４．０ｍｍである。カプセル５は、例えば直径４．０ｍｍの略球体である。
【００２０】
また、カプセル３の開口３ａとカプセル５の開口５ａとの間の最大離間距離Ｄは、０．５〜３．０ｍｍであると好ましく、０．５〜２．０ｍｍであると更に好ましい。この距離Ｄが０．５ｍｍ未満であると連結棒７が短すぎるため、磁気ネックレス１を曲げにくくなり、更には曲げた際に磁気ネックレス１が切れてしまうおそれがある。一方、この距離Ｄが３．０ｍｍを超えると連結棒７が長すぎるため、磁気ネックレス１を使用する際に、連結棒７が折れるか又は曲がりやすくなる傾向がある。
【００２１】
また、連結棒７の抜け止め部７ｂの幅７ｄは、カプセル３の両端に形成された開口３ａを結ぶ方向に略直交する方向における永久磁石体９の幅（径）９ｄより小さいと好ましい。永久磁石体９の幅９ｄは、開口３ａを結ぶ方向に略直交する方向における外形寸法の最大値で規定される。例えば、永久磁石体９が円柱であれば円の直径となり、四角柱であれば四角形の対角線の長さとなる。
【００２２】
ここで、抜け止め部の幅７ｄをカプセル３の短軸における内径３ｄに対して小さくすると、カプセル３内で抜け止め部７ｂが動きやすくなるので、磁気ネックレス１を曲げやすくなる。一方、永久磁石体９の幅９ｄをカプセル３の短軸における内径３ｄと同程度に大きくすると、カプセル３内における永久磁石体９の可動範囲が狭くなり、カプセル３内で永久磁石体９が動きにくくなる。この場合、永久磁石体９のエッジ又はコーナーが欠けにくくなり、磁石粉による磁気ネックレス１の汚染を抑制できる。また、永久磁石体９の幅９ｄを大きくすると、磁束を大きくできる。したがって、抜け止め部７ｂの幅７ｄが永久磁石体９の幅９ｄより小さいと、磁気ネックレス１の曲げやすさ、汚れにくさ、磁束の大きさがいずれも満たされる。
【００２３】
図３は、永久磁石体９の斜視図であり、図４(Ａ)及び図４(Ｂ)は、それぞれ永久磁石体９のIVA−IVA矢印断面図及びIVB−IVB矢印断面図である。永久磁石体９は、円柱の縁に沿って円弧面９ｄが形成された形状を有している。換言すれば、円弧面９ｄは、円形の端面９ａと円筒形の側面９ｃとの間を接続するように形成されている。なお、円弧面とは、円弧が所定の方向に沿って延在することにより形成される凸状の曲面をいう。
【００２４】
これにより、円柱の縁すなわち端面９ａと側面９ｃとの間における永久磁石体９の欠けを抑制できる。すなわち、永久磁石体９がカプセル３に衝突しても、永久磁石体９の欠けが発生しにくい。よって、磁気ネックレス１の使用中に、磁石粉による磁気ネックレス１或いは衣服等の汚染を抑制できる。さらに、磁気ネックレス１の製造中に、永久磁石体９の磁気特性が劣化せず、更には、磁気ネックレス１の外観品質も悪化しないので、磁気ネックレス１の製造歩留まりを向上できる。
【００２５】
また、円弧面９ｄは全ての縁に形成されているので、全ての縁において永久磁石体９が欠けにくくなっている。円弧面９ｄの曲率半径Ｒは、０．０５〜１ｍｍであると好ましく、０．１〜０．７ｍｍであると更に好ましく、０．２〜０．５ｍｍであると一層好ましい。曲率半径Ｒが０．０５ｍｍより小さいと、円柱の縁が鋭利であるため永久磁石体９の欠けが発生しやすくなる傾向にある。曲率半径Ｒは、永久磁石体９の欠けの発生が抑制されるように決定される。また、曲率半径Ｒは、永久磁石体９が収容されるカプセル３の形状に合わせて決定されると好ましい。
【００２６】
永久磁石体９に用いられる磁石としては、Ｓｒ−Ｆｅ系の酸化物磁石、フェライト磁石、ＳｍＣｏ磁石、ＮｄＦｅＢ磁石等を例示できる。
【００２７】
図５(Ａ)及び図５(Ｂ)は、永久磁石体９の製造工程を示す斜視図である。まず、着磁されていない磁性粉体を円柱に成型した後に焼結することによって、図５(Ａ)に示した円柱の焼結体６０を製造する。焼結体６０は、端面６０ａ及び側面６０ｃを有しており、これらの間には鋭利な縁６０ｂが形成されている。続いて、この焼結体６０を遠心自動バレル機によって研磨することにより、曲面によって面取りするＲ面取りを縁６０ｂに施す。このＲ面取りによって円弧面９ｄが形成される。Ｒ面取りの大きさを規定する曲率半径Ｒは、バレル機に入れるメディアやバレルを行う時間等の製造条件によって調整され得る。Ｒ面取りを施した後、焼結体を着磁することによって図５(Ｂ)に示した永久磁石体９が製造される。
【００２８】
上述の永久磁石体９を用いた磁気ネックレス１では、焼結体６０と同一形状である円柱の永久磁石体を用いた場合よりも製造歩留まりが１０％向上した。永久磁石体９では欠けの発生が抑制されるので、磁石粉の発生を抑制できるとともに、磁気特性を良好に維持できる。さらに、いずれもＪＩＳ  Ｚ  ０２００に規定される振動試験及び落下試験を行った結果、永久磁石体９の欠けの発生は認められなかった。
【００２９】
図６は、磁気ネックレス１の製造工程を示す断面図である。まず、例えばチタン製の線材を成型することにより、連結棒７が直線状に複数接続されてなる連結棒３７を形成する。図６においては、連結棒３７は連結棒７が８つ接続されてなる。続いて、例えば外径４．０ｍｍのチタン製のパイプ３８を準備し、パイプ３８に連結棒３７及び永久磁石体９を交互に収容する。この場合、連結棒３７の長さ或いは個数を調整することにより、永久磁石体９の配置間隔を決定できる。なお、この状態を図６の領域２０に示す。
【００３０】
次に、カプセル５の形状に対応する凹部５０ａ〜５３ａと、カプセル３の形状に対応する凹部３０ａ〜３３ａとを有する金型である型３５ａを準備し、この型３５ａを構成する上型３６及び下型３５の間にパイプ３８を挟むことによってパイプ３８を絞る。上型３６及び下型３５には、略楕円体のカプセル３と略球体のカプセル５とを一組形成するための領域２１〜２４が予め設けられている。領域２１から領域２４まで、徐々に上型３６及び下型３５の間隙が狭くなるように凹部５０ａ〜５３ａ，３０ａ〜３３ａがそれぞれ設けられている。具体的には、領域２１には凹部５３ａ，３３ａ、領域２２には凹部５２ａ，３２ａ、領域２３には凹部５１ａ，３１ａ、領域２４には凹部５０ａ，３０ａがそれぞれ設けられている。このため、パイプ３８を領域２１から領域２４まで順に送り込むことにより一組のカプセル３，５を形成することができる。
【００３１】
まず、第１の絞り工程では、上型３６及び下型３５の間にパイプ３８を挟み、領域２１に位置するパイプ３８の一部を少し絞る。これにより、一組のカプセル３，５の母体となる部分３３，５３が形成される。続いて、第２の絞り工程では、部分３３，５３が領域２２に来るように、パイプ３８を一組のカプセル３，５の長さ分奥に送り込み、部分３３，５３を更に絞ることによって部分３２，５２を形成する。このとき、領域２１においては、パイプ３８の一部が絞られて新たに部分３３，５３が形成されている。
【００３２】
同様に、第３の絞り工程では、部分３２，５２が領域２３に来るように、パイプ３８を一組のカプセル３，５の長さ分奥に送り込み、部分３２，５２を更に絞ることによって部分３１，５１を形成する。さらに、第４の絞り工程では、部分３１，５１が領域２４に来るように、パイプ３８を一組のカプセル３，５の長さ分奥に送り込み、部分３１，５１を更に絞ることによって部分３０，５０を形成する。このように、第１の絞り工程〜第４の絞り工程を経てパイプ３８を絞ることにより、カプセル３，５の母体となる部分３０，５０を形成できる。
【００３３】
なお、永久磁石体９は部分３０内に収容されるように配置されている。また、連結棒３７を構成する連結棒７の軸部７ａの位置でパイプ３８は絞られるので、連結棒７の抜け止め部７ｂ，７ｃは、カプセル３，５に収容されるように配置される。
【００３４】
続いて、領域２５において上型３６及び下型３５の間から押し出されたパイプ３８を治具３９によって曲げると、絞られた箇所でパイプ３８が切断される。これにより、カプセル３，５が形成される。このとき、連結棒３７も切断されて連結棒７が形成される。永久磁石体９が収容されていないカプセル３には、連結棒７が収容されている。この連結棒７は、連結棒３７を分断する際にカプセル３内に残存したものであり、一方の開口３ａに挿入された連結棒７の一端に接続されている。このように、パイプ３８を変形させることによって合わせ目のないカプセル３，５が形成される。
【００３５】
さらに、カプセル３，５及び連結棒７の全体としての長さが、例えば約４３ｃｍとなるように切断した後、両端に繋ぎ玉１１及び抜きカン１２を治具でかしめて繋げる。さらに、一方の抜きカン１２にはＣカン１３を介して留め具フック１４を繋げ、他方の抜きカン１２にはＣカン１３を介して留め具プレート１５を繋げる。以上の工程を経ることにより、磁気ネックレス１を製造することができる。
【００３６】
（第２実施形態）
図７は、第２実施形態に係る磁気ネックレスに用いられる永久磁石体９０の斜視図である。図８(Ａ)及び図８(Ｂ)は、それぞれ永久磁石体９０のVIIIA−VIIIA矢印断面図及びVIIIB−VIIIB矢印断面図である。なお、永久磁石体９０は永久磁石体９の変形例であり、磁気ネックレス１における永久磁石体９を永久磁石体９０に置換することができる。永久磁石体９０は、八角柱の縁に沿って円弧面９０ｄが形成された形状を有している。換言すれば、円弧面９０ｄは、八角形の端面９０ａと矩形の側面９０ｃとの間、及び、矩形の側面９０ｃ同士の間を接続するように形成されている。
【００３７】
これにより、八角柱の縁すなわち端面９０ａと側面９０ｃとの間、及び、矩形の側面９０ｃ同士の間、或いは八角柱の角における永久磁石体９０の欠けを抑制できる。円弧面９０ｄは全ての縁に形成されているので、全ての縁において永久磁石体９０が欠けにくくなっている。円弧面９０ｄは、縁の一方の角部から他方の角部まで帯状に形成されている。また、角部には、例えば球面の一部のように丸みを帯びた曲面が形成されている。なお、永久磁石体９０は永久磁石体９と同一の製造工程を経て製造される。また、永久磁石体９０に用いられる磁石としては、Ｓｒ−Ｆｅ系の酸化物磁石、フェライト磁石、ＳｍＣｏ磁石、ＮｄＦｅＢ磁石等を例示できる。
【００３８】
（第３実施形態）
図９は、第３実施形態に係る磁気ネックレスに用いられる永久磁石体９１の斜視図である。図１０(Ａ)及び図１０(Ｂ)は、それぞれ永久磁石体９１のXA−XA矢印断面図及びXB−XB矢印断面図である。なお、永久磁石体９１は永久磁石体９の変形例であり、磁気ネックレス１における永久磁石体９を永久磁石体９１に置換することができる。永久磁石体９１は、四角柱の縁に沿って帯状の平面９１ｄが形成された形状を有している。換言すれば、帯状の平面９１ｄは、矩形の端面９１ａと矩形の側面９１ｃとの間、及び、矩形の側面９１ｃ同士の間を接続するように形成されている。
【００３９】
これにより、四角柱の縁すなわち端面９１ａと側面９１ｃとの間、及び、矩形の側面９１ｃ同士の間、或いは四角柱の角における永久磁石体９１の欠けを抑制できる。帯状の平面９１ｄは全ての縁に形成されているので、全ての縁において永久磁石体９１が欠けにくくなっている。さらに、縁同士が交差することにより形成される角も鋭利でなくなるので、永久磁石体９１の角も欠けにくい。また、平面９１ｄは端面９１ａ及び側面９１ｃのいずれに対しても４５°の角度をなすと好ましい。この場合、平面９１ｄと端面９１ａとにより形成される稜線及び平面９１ｄと側面９１ｃとにより形成される稜線が共に鋭利でなくなるので、永久磁石体９１は一層欠けにくくなる。
【００４０】
また、平面９１ｄの幅Ｗは、０．０７〜１．５ｍｍであると好ましい。平面９１ｄの幅Ｗが０．０７ｍｍより小さいと、四角柱の縁が鋭利であるため永久磁石体９１の欠けが発生しやすくなる傾向にある。平面９１ｄの幅Ｗは、永久磁石体９１の欠けの発生が抑制されるように決定される。また、平面９１ｄの幅Ｗは、永久磁石体９１が収容されるカプセル３の形状に合わせて決定されると好ましい。なお、幅Ｗを斜辺とする直角二等辺三角形における直交する二辺の長さＣは、それぞれ０．０５〜１．０ｍｍであると好ましい。
【００４１】
図１１は、永久磁石体９１の製造工程を示す断面図である。永久磁石体９１の平面９１ｄは、例えば四角柱の縁を平面によって面取りするＣ面取りにより製造される。四角柱の永久磁石体９２を研削盤上のＶ型治具９３に固定し、鋭利な縁９２ａを削ることによりＣ面取りを行い、平面９１ｄを形成する。この工程を全ての縁に対して行うことによって永久磁石体９１が製造される。四角柱の永久磁石体９２としては、縦及び横が２ｍｍ、高さが３ｍｍの磁石を例示できる。なお、永久磁石体９１に用いられる磁石としては、Ｓｒ−Ｆｅ系の酸化物磁石、フェライト磁石、ＳｍＣｏ磁石、ＮｄＦｅＢ磁石等を例示できる。
【００４２】
（第４実施形態）
図１２は、第４実施形態に係る磁気ネックレス１００の部分断面図である。磁気ネックレス１００は複数のカプセル３００を有しており、隣り合うカプセル３００同士はリングチェーン７０１によって連結されている。リングチェーンとは、リングが複数連結されてなるチェーンをいう。カプセル３００の両端には、ネジ等によってフック７００が接続されており、そのフック７００にリングチェーン７０１が係合されている。カプセル３００は略円筒形であり、そのカプセル３００内には永久磁石体９が収容されている。
【００４３】
（第５実施形態）
図１３は、第５実施形態に係る磁気ネックレス２００の部分平面図である。磁気ネックレス２００は、磁気ネックレス１００のようにカプセル３００を有しておらず、永久磁石体９０が露出している。永久磁石体９０の両端には、ネジ等によってフック７１０が直接接続されている。ここで、永久磁石体９０の縁は鋭利でないので、露出していても人体や衣服を傷つけにくく、更には縁が欠けにくい。
【００４４】
以上、本発明の好適な実施形態について詳細に説明したが、本発明は上記実施形態に限定されない。
【００４５】
例えば、上記実施形態では、永久磁石体９は複数のカプセル３に収容されていたが、カプセル３，５のうち一つのカプセルに収容されていてもよい。
【００４６】
また、上記実施形態では、面取り前の形状を四角柱或いは八角柱としたが、六角柱等の角柱としてもよい。
【００４７】
また、上記実施形態では、焼結後に面取りを行うとしたが、焼結前に予め帯状の平面又は円弧面を有する形状に成型するとしてもよい。この場合、面取りを施す必要はない。
【００４８】
また、上記実施形態では、円柱又は角柱の全ての縁に帯状の平面又は円弧面が形成されているとしたが、一つの縁に形成されているとしてもよい。例えば、図６に示すように、領域２５においてパイプ３８の送り方向の前方に位置する永久磁石体９の縁はカプセル３に接触する。この縁に平面又は円弧面が形成されていると、永久磁石体９とカプセル３との接触に起因する永久磁石体９の欠けの発生を抑制できる。
【図面の簡単な説明】
【００４９】
【図１】第１実施形態に係る磁気ネックレスの平面図である。
【図２】磁気ネックレスのII−II矢印断面図である。
【図３】永久磁石体の斜視図である。
【図４】永久磁石体のIVA−IVA矢印断面図及びIVB−IVB矢印断面図である。
【図５】永久磁石体の製造工程を示す斜視図である。
【図６】磁気ネックレスの製造工程を示す断面図である。
【図７】第２実施形態に係る磁気ネックレスに用いられる永久磁石体の斜視図である。
【図８】永久磁石体のVIIIA−VIIIA矢印断面図及びVIIIB−VIIIB矢印断面図である。
【図９】第３実施形態に係る磁気ネックレスに用いられる永久磁石体の斜視図である。
【図１０】永久磁石体のXA−XA矢印断面図及びXB−XB矢印断面図である。
【図１１】永久磁石体の製造工程を示す断面図である。
【図１２】第４実施形態に係る磁気ネックレスの部分断面図である。
【図１３】第５実施形態に係る磁気ネックレスの部分平面図である。
【符号の説明】
【００５０】
９ｄ，９０ｄ…円弧面、９１ｄ…帯状の平面、９，９０，９１…永久磁石体、１，１００，２００…磁気ネックレス、３，５…カプセル。
【図１】
2005087404.tif 000003
【図２】
2005087404.tif 000004
【図３】
2005087404.tif 000005
【図４】
2005087404.tif 000006
【図５】
2005087404.tif 000007
【図６】
2005087404.tif 000008
【図７】
2005087404.tif 000009
【図８】
2005087404.tif 000010
【図９】
2005087404.tif 000011
【図１０】
2005087404.tif 000012
【図１１】
2005087404.tif 000013
【図１２】
2005087404.tif 000014
【図１３】
2005087404.tif 000015